(57)【特許請求の範囲】
【請求項１】
上部に原稿を積載できる平板ガラスを備えた本体と、前記本体の前記平板ガラスを開閉するカバーを含むスキャナーにおいて、
前記本体に内蔵され原稿をスキャンするスキャンセンサー；前記カバーに設けられ、原稿給紙台及び内部が多数のローラーでなる移送ローラー部材を備え、原稿給紙口及び原稿排紙口が上下並んで形成され、前記原稿給紙口を通して給紙された原稿の一部が前記平板ガラスの外側に露出されるように原稿露出口が形成された自動原稿給紙装置；前記移送ローラー部材が選択的に正回転又は逆回転するように前記移送ローラー部材に駆動力を伝達する移送ローラー部材駆動モータ；及び前記原稿給紙台に設けられ、前記原稿給紙台に積載された原稿のサイズを感知する原稿サイズ感知センサーを含み、前記スキャンセンサーのスキャン面積を超過する原稿を分割してスキャンする、スキャニング部；
前記スキャニング部を通して分割スキャンされた二つのイメージを結合するためのイメージプロセッシングを行う、画像処理部を含み、
前記原稿サイズ感知センサーは、
前記原稿給紙台に整列された原稿が、前記原稿給紙台の外部に露出された場合、Ａ３原稿と判断し、前記原稿給紙台に整列された原稿が原稿給紙台の外部に露出されなかった場合、Ａ４原稿と判断することを特徴とするＡ３用紙スキャン機能を備えたＡ４スキャナー。
【請求項２】
前記移送ローラー部材は、前記原稿給紙口に隣接して設けられた給紙ローラーと、前記原稿露出口に隣接して設けられた移送ローラーを含み、
前記移送ローラーは、前記移送ローラー部材駆動モータによって正回転又は逆回転されて給紙された原稿が、前記原稿露出口又は前記原稿排紙口側に移送されるようにすることを特徴とする請求項１に記載のＡ３用紙スキャン機能を備えたＡ４スキャナー。
【請求項３】
前記スキャニング部は、前記原稿給紙口に積載された原稿がスキャンされるように信号を出力する原稿スキャンボタン；及び
前記原稿スキャンボタンから信号の伝達を受け、前記スキャンセンサー及び前記移送ローラー部材駆動モータが作動されるように信号を出力する制御部を含み、
前記制御部は、前記原稿スキャンボタンの動作信号によって、前記スキャンセンサー及び前記移送ローラー部材駆動モータに信号を出力し、前記平板ガラスに密着された原稿が分割スキャンされるようにすることを特徴とする請求項２に記載のＡ３用紙スキャン機能を備えたＡ４スキャナー。
【請求項４】
前記スキャンセンサーは、前記原稿を分割スキャンする場合に、前記分割スキャンされた二つのイメージが重なり合う部分が生じるように、前記原稿の半分を超える面積を各々スキャンすることを特徴とする請求項３に記載のＡ３用紙スキャン機能を備えたＡ４スキャナー。
【請求項５】
ａ）原稿の短側部を原稿給紙台に整列する段階；
ｂ）原稿スキャンボタンをクリックする段階；
ｃ）制御部が前記原稿スキャンボタンの信号により移送ローラー部材駆動モータに信号を出力し、原稿給紙口に整列された原稿の一部が平板ガラスに密着されるようにする段階；
ｄ）制御部が前記平板ガラスに密着された原稿の一部がスキャンされるように、スキャンセンサーに信号を出力する段階；
ｅ）制御部がスキャンされていない原稿の残りの部分が前記平板ガラスに密着されるように、移送ローラー部材駆動モータに信号を出力する段階；
ｆ）制御部が前記原稿の残りの部分がスキャンされるように前記スキャンセンサーに信号を出力する段階；及び
ｇ）画像処理部が前記スキャンセンサーによってスキャンされた二つのイメージを併合するイメージプロセッシングを行う段階を含むことを特徴とする第１項乃至第４項の少なくとも何れか１項に記載のＡ３用紙スキャン機能を備えたＡ４スキャナーのスキャン方法。
【請求項６】
前記ｂ段階及び前記ｃ段階の間に、原稿サイズ感知センサーを通して前記原稿給紙台に整列された原稿のサイズを感知する段階を更に含み、
前記制御部は、前記原稿サイズ感知センサーの感知結果、前記平板ガラスに整列された原稿が前記スキャンセンサーのスキャン面積より大きい場合に、前記ｃ，ｄ，ｅ，ｆ，ｇ段階を行うことを特徴とする請求項５に記載のＡ３用紙スキャン機能を備えたＡ４スキャナーのスキャン方法。
【請求項７】
前記スキャンセンサーは、分割スキャンされた二つのイメージが重なり合う部分が生じるように、前記原稿の半分を超える面積を各々スキャンすることを特徴とする請求項６に記載のＡ３用紙スキャン機能を備えたＡ４スキャナーのスキャン方法。
【発明の詳細な説明】
【技術分野】
【０００１】
本発明はスキャナーに関するものであって、更に詳しくは、Ａ４専用スキャンセンサーでＡ３原稿をスキャンすることができる、Ａ３用紙スキャン機能を備えた  Ａ４スキャナー及びこのスキャン方法に関するものである。
【背景技術】
【０００２】
一般的に、スキャナー（画像形成装置）は、入力された画像信号を印刷媒体に印刷する装置であって、プリンター、コピー機、又はこれらの機能を一つの装置に統合して具現した複合機などがこれに該当する。
【０００３】
このようなスキャナーは、スキャン手段を通して原稿に記録された画像をスキャンするスキャニング部を含む。スキャニング部が原稿から情報を読み取るためには、スキャニング部のスキャンセンサーが移動するか、対象体である原稿が移動する必要がある。
【０００４】
ここで、原稿を固定させ、スキャンセンサーが移動する方式をフラットベッド型（Ｆｌａｔ  Ｂｅｄ  Ｔｙｐｅ）と言い、スキャンセンサーは停止されており、原稿が移動する方式をシートフィード型（Ｓｈｅｅｔ  Ｆｅｅｄ  ｔｙｐｅ）と言う。最近の複合機はこの二つの方式を全部採用しており、このようなスキャナーの例が図１に示されている。
【０００５】
図面に示されているように、スキャナー５０はカバー１０と本体３０を含む。カバー１０には自動原稿給紙装置２０（Ａｕｔｏｍａｔｉｃ  Ｄｏｃｕｍｅｎｔ  Ｆｅｅｄｅｒ）が設けられ、本体３０には自動原稿給紙装置２０によって供給された原稿をスキャンするスキャンセンサー４０が設けられる。
【０００６】
ここで、スキャンセンサー４０は、電荷を用いて被写体の像が結ばれるようにする撮像素子の一つであるＣＣＤ（ｃｈａｒｇｅ  ｃｏｕｐｌｅｄ  ｄｅｖｉｃｅ）が内蔵されたＣＣＤＭ（ＣＣＤ  Ｍｏｄｕｌｅ）が使用されるか、原稿をスキャンするＣＩＳ（ＣＭＯＳ  Ｉｍａｇｅ  Ｓｅｎｓｏｒ）が使用される。
【０００７】
自動原稿給紙装置２０は、一般的に、給紙される原稿が‘Ｃ’形状の移送経路Ｐを有するようになっており、原稿台２１に積載された原稿は、ピックアップローラー２２、移送ローラー２３、フィーディングローラ２４を通してスキャンセンサー４０上部に流入される。原稿はスキャンセンサー４０によってスキャンされた後、排紙ローラー２５を通して流出される。
【０００８】
このように、自動原稿給紙装置２０を用いると、複数枚の用紙を容易にスキャンすることができる。
【０００９】
また、自動原稿給紙装置２０を通さずに、原稿をスキャンすることができる。このためには、まず、カバー１０を開放した後、本体３０の上面に設けられた平板ガラス３１に原稿を整列させた状態でスキャン作業を実施する。そうすると、スキャンセンサー４０が矢印Ａで示された方向にスキャン窓の下部を往復移動しながら原稿をスキャンする。
【００１０】
従って、スキャンセンサー４０が移動することにより、自動原稿給紙装置２０を用いずに一枚の原稿をスキャンすることができる。
【００１１】
一方、このようにスキャン機能を備えた従来の複合機は一番多く使用されるＡ４用紙のサイズに合わせてスキャンセンサー４０が設けられている。従って、Ａ４用紙より大きいＡ３用紙をスキャンするためには、Ａ３専用スキャナーが必要であった。
【００１２】
しかし、Ａ３専用スキャナーは一般的なＡ４用紙スキャナーで使用されるスキャンセンサーより２倍大きいスキャンセンサーを使用しなければならなく、このようなスキャンセンサーのサイズ増加は、直ちに製品の製造原価の上昇に直結されるため、Ａ３スキャナーの使用頻度が低い事務室や家庭では別途Ａ３スキャナーを購買することは難しかった。
【発明の概要】
【発明が解決しようとする課題】
【００１３】
本発明は、上記のような実情を鑑みて行われたものであって、Ａ４専用スキャンセンサーでＡ３原稿をスキャンすることができる、Ａ３用紙スキャン機能を備えたＡ４スキャナー及びこのスキャン方法を提供することにその目的がある。
【課題を解決するための手段】
【００１４】
上記のような目的を達成するための本発明の形態によると、上部に原稿を積載できる平板ガラスを備えた本体と、前記本体の前記平板ガラスを開閉するカバーを含むスキャナーにおいて、前記本体に内蔵され原稿をスキャンするスキャンセンサー；前記カバーに設けられ、原稿給紙台及び内部が多数のローラーでなる移送ローラー部材を備え、原稿給紙口及び原稿排紙口が上下並んで形成され、前記原稿給紙口を通して給紙された原稿の一部が前記平板ガラスの外側に露出されるように原稿露出口が形成された自動原稿給紙装置；前記移送ローラー部材が選択的に正回転又は逆回転するように前記移送ローラー部材に駆動力を伝達する移送ローラー部材駆動モータ；及び前記原稿給紙台に設けられ、前記原稿給紙台に積載された原稿のサイズを感知する原稿サイズ感知センサーを含み、前記スキャンセンサーのスキャン面積を超過する原稿を分割してスキャンする、スキャニング部；前記スキャニング部を通して分割スキャンされた二つのイメージを結合するためのイメージプロセッシングを行う、画像処理部を含み、前記原稿サイズ感知センサーは、前記原稿給紙台に整列された原稿が、前記原稿給紙台の外部に露出された場合、Ａ３原稿と判断し、前記原稿給紙台に整列された原稿が原稿給紙台の外部に露出されなかった場合、Ａ４原稿と判断することを特徴とする。
【００１５】
好ましくは、前記移送ローラー部材は、前記原稿給紙口に隣接して設けられた給紙ローラーと、前記原稿露出口に隣接して設けられた移送ローラーを含み、前記移送ローラーは、前記移送ローラー部材駆動モータによって正回転又は逆回転されて給紙された原稿が、前記原稿露出口又は前記原稿排紙口側に移送されるようにすることを特徴とする。
【００１６】
更に好ましくは、前記スキャニング部は、前記原稿給紙口に積載された原稿がスキャンされるように信号を出力する原稿スキャンボタン；及び前記原稿スキャンボタンから信号の伝達を受け、前記スキャンセンサー及び前記移送ローラー部材駆動モータが作動されるように信号を出力する制御部を含み、前記制御部は、前記原稿スキャンボタンの動作信号によって、前記スキャンセンサー及び前記移送ローラー部材駆動モータに信号を出力し、前記平板ガラスに密着された原稿が分割スキャンされるようにすることを特徴とする。
【００１７】
更に好ましくは、前記スキャンセンサーは、前記原稿を分割スキャンする場合に、前記分割スキャンされた二つのイメージが重なり合う部分が生じるように、前記原稿の半分を超える面積を各々スキャンすることを特徴とする。
【００１８】
本発明は、また、ａ）原稿の短側部を原稿給紙台に整列する段階；ｂ）原稿スキャンボタンをクリックする段階；ｃ）制御部が前記原稿スキャンボタンの信号により移送ローラー部材駆動モータに信号を出力し、原稿給紙口に整列された原稿の一部が平板ガラスに密着されるようにする段階；ｄ）制御部が前記平板ガラスに密着された原稿の一部がスキャンされるように、スキャンセンサーに信号を出力する段階；ｅ）制御部がスキャンされていない原稿の残りの部分が前記平板ガラスに密着されるように、移送ローラー部材駆動モータに信号を出力する段階；ｆ）制御部が前記原稿の残りの部分がスキャンされるように前記スキャンセンサーに信号を出力する段階；及びｇ）画像処理部が前記スキャンセンサーによってスキャンされた二つのイメージを併合するイメージプロセッシングを行う段階を含むことを特徴とする。
【００１９】
好ましくは、前記ｂ段階及び前記ｃ段階の間に、原稿サイズ感知センサーを通して前記原稿給紙台に整列された原稿のサイズを感知する段階を更に含み、前記制御部は、前記原稿サイズ感知センサーの感知結果、前記平板ガラスに整列された原稿が前記スキャンセンサーのスキャン面積より大きい場合に、前記ｃ，ｄ，ｅ，ｆ，ｇ段階を行うことを特徴とする。
【００２０】
更に好ましくは、前記スキャンセンサーは、分割スキャンされた二つのイメージが重なり合う部分が生じるように、前記原稿の半分を超える面積を各々スキャンすることを特徴とする。
【発明の効果】
【００２１】
本発明によるＡ３用紙スキャン機能を備えたＡ４スキャナー及びこのスキャン方法は、Ａ４専用スキャンセンサーでＡ３原稿をスキャンすることができる。
【００２２】
従って、Ａ３原稿をスキャンするためのＡ３専用スキャンセンサーを備える必要がなく、製品の製造原価を大幅節減できる効果がある。
【図面の簡単な説明】
【００２３】
【図１】従来技術によるスキャナーの一例を示した図面である。
【図２】本発明の第１実施例によるＡ３用紙スキャン機能を備えたＡ４スキャナーを概略的に示した斜視図である。
【図３】本発明の第１実施例によるＡ３用紙スキャン機能を備えたＡ４スキャナーを概略的に示した側面構成図である。
【図３ａ】図９に示したＡ部分の拡大図である。
【図４】本発明の第１実施例によるＡ３用紙スキャン機能を備えたＡ４スキャナーのスキャニング部の一形態を概略的に示したブロック図である。
【図５】本発明の第１実施例によるＡ３用紙スキャン機能を備えたＡ４スキャナーのスキャン方法を概略的に示したフローチャートである。
【図６ａ】本発明の第１実施例によるＡ３用紙スキャン機能を備えたＡ４スキャナーのスキャン過程を概略的に示した斜視図である。
【図６ｂ】本発明の第１実施例によるＡ３用紙スキャン機能を備えたＡ４スキャナーのスキャン過程を概略的に示した斜視図である。
【図６ｃ】本発明の第１実施例によるＡ３用紙スキャン機能を備えたＡ４スキャナーのスキャン過程を概略的に示した斜視図である。
【図６ｄ】本発明の第１実施例によるＡ３用紙スキャン機能を備えたＡ４スキャナーのスキャン過程を概略的に示した斜視図である。
【図７ａ】本発明の第１実施例によるＡ３用紙スキャン機能を備えたＡ４スキャナーの更に他のスキャン方法を概略的に示した斜視図である。
【図７ｂ】本発明の第１実施例によるＡ３用紙スキャン機能を備えたＡ４スキャナーの更に他のスキャン方法を概略的に示した斜視図である。
【図７ｃ】本発明の第１実施例によるＡ３用紙スキャン機能を備えたＡ４スキャナーの更に他のスキャン方法を概略的に示した斜視図である。
【図７ｄ】本発明の第１実施例によるＡ３用紙スキャン機能を備えたＡ４スキャナーの更に他のスキャン方法を概略的に示した斜視図である。
【図８】本発明の第１実施例によるＡ３用紙スキャン機能を備えたＡ４スキャナーのスキャニング部の他の形態を概略的に示したブロック図である。
【図９】本発明の第１実施例によるＡ３用紙スキャン機能を備えたＡ４スキャナーのスキャン方法の他の形態を概略的に示したフローチャートである。
【発明を実施するための形態】
【００２４】
以下、添付された図面を参照し、本発明によるＡ３用紙スキャン機能を備えたＡ４スキャナー及びこのスキャン方法の好ましい実施例を説明する。
【００２５】
＜第１実施例＞
図２は本発明の第１実施例によるＡ３用紙スキャン機能を備えたＡ４スキャナーを概略的に示した斜視図であり、図３は本発明の第１実施例によるＡ３用紙スキャン機能を備えたＡ４スキャナーを概略的に示した側面構成図であり、図３ａは図９に示したＡ部分の拡大図であり、図４は本発明の第１実施例によるＡ３用紙スキャン機能を備えたＡ４スキャナーのスキャニング部の一形態を概略的に示したブロック図である。
【００２６】
図２乃至図４に示したように、本発明の第１実施例によるＡ３用紙スキャン機能を備えたＡ４スキャナーは、上部に原稿を積載できるように平板ガラス１１０を備えた本体１００と、本体１００の上部に備えられた平板ガラス１１０を開閉するカバー１２０を含むスキャナーであって、原稿を分割スキャンするスキャニング部２００、及びスキャニング部２００を通して分割スキャンされたイメージを結合する画像処理部３００を含んで構成される。
【００２７】
スキャニング部２００は、スキャンセンサー２１０、カバー１２０の一側に設けられた自動原稿給紙装置２２０、及び自動原稿給紙装置２２０の内部に設けられた移送ローラー部材２２１を駆動する移送ローラー部材駆動モータ２３０を含む。
【００２８】
スキャンセンサー２１０はＣＣＤ（ｃｈａｒｇｅ  ｃｏｕｐｌｅｄ  ｄｅｖｉｃｅ）モジュールであるＣＣＤＭ又はＣＩＳ（ＣＭＯＳ  Ｉｍａｇｅ  Ｓｅｎｓｏｒ）であって、本体１００の上部、正確には、後述される自動原稿給紙装置２２０の下部に設けられ、自動原稿給紙装置２２０を通して給紙される原稿をスキャンする。また、スキャンセンサー２１０は左右に往復移動が可能に設けられ、平板ガラス１１０上に載せられた原稿をスキャンすることができる。
【００２９】
一般的に、このスキャンセンサー２１０はＡ４サイズの原稿をスキャンするために、その長さがＡ４用紙の短側部長さ（２１０ｍｍ）に合わせて設計される。即ち、スキャンセンサー２１０は、Ａ４用紙の短側部（２１０ｍｍ）に並んで整列された状態でＡ４用紙の長側部（２９７ｍｍ）に沿って原稿をスキャンするように設計される。
【００３０】
自動原稿給紙装置２２０は、正確にはスキャンセンサー２１０が設けられた位置の上部に設けられ、複数枚の原稿が自動に給紙され排出されるように構成される。
【００３１】
具体的に、自動原稿給紙装置２２０は内部に多数のローラー２２１ａ，２２１ｂ，２２１ｃでなる移送ローラー部材２２１を備え、原稿給紙口２２２及び原稿排紙口２２３が上下に一定間隔だけ離隔されて並んで形成されており、原稿給紙口２２２を通して給紙された原稿の一部が平板ガラス１１０の外側に露出されるように原稿露出口２２４が形成されている。
【００３２】
また、原稿給紙口２２２及び原稿排紙口２２３には、上方に一定角度傾いて延長された原稿給紙台２２２ａ及び原稿排紙台２２３ａがそれぞれ備えられる。
【００３３】
そして、自動原稿給紙装置２２０の内部に設けられた移送ローラー部材２２１は、原稿給紙口２２２に隣接して設けられ、原稿給紙台２２２ａに積載された原稿を平板ガラス１１０側に給紙する給紙ローラー２２１ｂ、２２１ｃと、原稿露出口２２４に隣接して設けられ、給紙された原稿を原稿露出口２２４外側に露出されるようにするか、原稿排紙口２２３を通して原稿排紙台２２３ａに排紙する移送ローラー２２１ａを含めて構成される。
【００３４】
この際に、移送ローラー２２１ａは、後述される移送ローラー部材駆動モータ２３０によって正回転又は逆回転され、給紙された原稿が原稿露出口２２４又は原稿排紙口２２３側に移送されるようにする役割をする。
【００３５】
移送ローラー部材駆動モータ２３０は、給紙ローラー２２１ｂ、２２１ｃ及び移送ローラー２２１ａに駆動力を伝達するように多数のギア（図示せず）を通して給紙ローラー２２１ｂ、２２１ｃ及び移送ローラー２２１ａと結合されており、移送ローラー２２１ａが正回転又は逆回転されるように移送ローラー２２１ａに駆動力を伝達する。
【００３６】
このように構成されたスキャニング部２００は、Ａ３原稿をスキャンする場合、  移送ローラー２２１ａが回転するとともに、原稿給紙口２２２に積載されたＡ３原稿の一部は平板ガラス１１０に密着され、残りの一部は平板ガラス１１０の外側に位置されるようにした状態で、スキャンセンサー２１０が平板ガラス１１０に密着された原稿をスキャンする。その後、移送ローラー２２１ａが再び回転するとともに、スキャンされていない原稿の残りの部分が平板ガラス１１０に密着されるようにした状態で、スキャンセンサー２１０が平板ガラス１１０に密着された原稿の残りの部分をスキャンする。その後、移送ローラー２２１ａはまた回転し、スキャン作業が終了された原稿が原稿排紙口２２３を通して外部に排紙されるようにする。
【００３７】
従って、スキャンセンサー２１０が二回往復移動しながらＡ３原稿全体をスキャンすることになる。即ち、Ａ４原稿のみスキャンできた一般的なスキャンセンサー２１０を用いて、自分のスキャン面積の二倍サイズのＡ３用紙をスキャンすることができる。
【００３８】
画像処理部３００は、スキャニング部２００を通してスキャンされた二つのイメージ（Ａ４サイズのイメージ）を結合するための通常のイメージプロセッシング（ｉｍａｇｅ  ｐｒｏｃｅｓｓｉｎｇ）を行い、Ａ３サイズのスキャンイメージを生成する。
【００３９】
このように、本発明によるＡ３用紙スキャン機能を備えたＡ４スキャナーは、既存のスキャンセンサー（Ａ４専用）を用いてＡ３原稿をスキャンすることができる。
【００４０】
図５は本発明によるＡ３用紙スキャン機能を備えたＡ４スキャナーのスキャン方法を概略的に示したフローチャートであり、図６ａ乃至図６ｄは本発明によるＡ３用紙スキャン機能を備えたＡ４スキャナーのスキャン過程を概略的に示した斜視図である。
【００４１】
図２乃至図６ｄに示したように、本発明の第１実施例によるＡ３用紙スキャン機能を備えたＡ４スキャナーのスキャニング部２００はＡ３原稿のスキャン機能を行うために信号を出力する原稿スキャンボタン２４０、及び原稿スキャンボタン２４０の信号によりスキャニング部２００がＡ３原稿をスキャンするように信号を出力する制御部２９０を更に含む。
【００４２】
原稿スキャンボタン２４０は図示されていないが、本体１００の一側に形成され、使用者がＡ３原稿をスキャンするためにクリックすることができるように構成されたものであって、自動原稿給紙装置２２０を通して平板ガラス１１０に密着されたＡ３原稿がスキャンされるように制御部２９０に信号を出力する役割をする。
【００４３】
制御部２９０は、原稿スキャンボタン２４０から出力された信号の伝達を受け、スキャンセンサー２１０及び移送ローラー部材駆動モータ２３０が作動されるように信号を出力する。
【００４４】
具体的にＡ３原稿のスキャン方法を説明すると、次のようである。
【００４５】
まず、図６ａに示したように、使用者がＡ３原稿１０をスキャンするために自動原稿給紙装置２２０の原稿給紙台２２２ａに原稿１０を整列させた後（Ｓ１００）、原稿スキャンボタン２４０を押す（Ｓ２００）。
【００４６】
そうすると、制御部２９０は、原稿スキャンボタン２４０の動作信号の伝達を受け、移送ローラー部材２２１が駆動されるように移送ローラー部材駆動モータ２３０に制御信号を出力する。これにより、移送ローラー２２１ａが正回転され、図６ｂに示したように原稿給紙台２２２ａに積載された原稿１０の半分程度が平板ガラス１１０に密着され、残りの部分は原稿給紙台２２２ａに積載された状態となる（Ｓ３００）。
【００４７】
これと同時に、制御部２９０は、平板ガラス１１０に密着されたＡ３原稿１０の一部がスキャンされるようにスキャンセンサー２１０に信号を出力する。これにより、スキャンセンサー２１０は左右に往復移動しながら平板ガラス１１０に密着されたＡ３原稿の一部を１次的にスキャンする（Ｓ４００）。
【００４８】
この際に、スキャンセンサー２１０はＡ３原稿の半分サイズであるＡ４サイズより所定サイズだけ大きいサイズでＡ３原稿をスキャンすることが好ましい。
【００４９】
前記１次スキャンが完了し、一定時間が経過すると、制御部２９０は再び移送ローラー部材２２１が駆動されるように移送ローラー部材駆動モータ２３０に信号を出力する。
【００５０】
そうすると、移送ローラー２２１ａが正回転され、図６ｃに示したように、Ａ３原稿１０のスキャンされた部分が原稿露出口２２４の外側に露出されるとともに、Ａ３原稿１０のスキャンされていない残りの部分が平板ガラス１１０に密着された状態となる（Ｓ５００）。
【００５１】
これと同時に、制御部２９０は、平板ガラス１１０に密着されたＡ３原稿１０がスキャンされるようにスキャンセンサー２１０に信号を出力する。これにより、スキャンセンサー２１０は左右に往復移動しながら平板ガラス１１０に密着されたスキャンされていないＡ３原稿の残りの部分を２次的にスキャンする（Ｓ６００）。
【００５２】
この際に、スキャンセンサー２１０はＡ３原稿の半分サイズであるＡ４サイズより所定サイズだけ大きいサイズでＡ３原稿をスキャンすることが好ましい。これは、後述されるイメージプロセッシングを行う過程においてスキャンされた二つのイメージが重なり合う、即ち、オーバーラップ（ｏｖｅｒｌａｐ）される部分が生じるようにして二つのイメージの併合された部分が滑らかに続くようにするためである。
【００５３】
このように、二回のスキャン作業が終了した後、制御部２９０は移送ローラー２２１ａが逆回転するように移送ローラー部材２２１に信号を出力する。これにより、  移送ローラー２２１ａが逆回転しながら、図６ｄに示したように、Ａ３原稿１０が原稿排紙口２２３を通して排紙され、原稿排紙台２２３ａに積載される。
【００５４】
Ａ３原稿の分割スキャンが全部完了すると、画像処理部３００は分割スキャンされた二つのイメージ（Ａ４サイズ）を結合するためのイメージプロセッシングを行い、一つのＡ３サイズのイメージを生成する。
【００５５】
従って、Ａ４原稿用スキャンセンサー２１０を用いてＡ３原稿のスキャンが可能である。
【００５６】
一方、本発明の第１実施例によるＡ３用紙スキャン機能を備えたＡ４スキャナーは、図７ａ乃至７ｄに示された方法で分割スキャン作業を行うことができる。
【００５７】
まず、図７ａに示したように、使用者がＡ３原稿をスキャンするために自動原稿給紙装置２２０の原稿給紙台２２２ａに積載させた後、原稿スキャンボタン２４０を押すと、制御部２９０は、原稿スキャンボタン２４０の動作信号の伝達を受け、移送ローラー部材２２１が駆動されるように移送ローラー部材駆動モータ２３０に信号を出力する。
【００５８】
そうすると、移送ローラー２２１ａが正回転され、図７ｂに示したように原稿給紙台２２２ａに積載された原稿１０の半分程度が平板ガラス１１０に密着され、残りの部分は原稿露出口２２４の外側に露出された状態となる。
【００５９】
これと同時に、制御部２９０は、平板ガラス１１０に密着されたＡ３原稿の一部がスキャンされるようにスキャンセンサー２１０に信号を出力する。これにより、スキャンセンサー２１０は左右に往復移動しながら平板ガラス１１０に密着されたＡ３原稿１０の一部を１次的にスキャンする。
【００６０】
前記１次スキャンが完了し、一定時間が経過すると、制御部２９０は再び移送ローラー部材２２１が駆動されるように移送ローラー部材駆動モータ２３０に制御信号を出力する。
【００６１】
今度は、移送ローラー２２１ａが逆回転され、図７ｃに示したように、Ａ３原稿１０が後退しながらスキャンされた部分が自動原稿給紙装置２２０の内部に位置し、Ａ３原稿１０のスキャンされていない残りの部分が平板ガラス１１０に密着された状態となる。
【００６２】
これと同時に、制御部２９０は、平板ガラス１１０に密着されたＡ３原稿１０がスキャンされるようにスキャンセンサー２１０に信号を出力する。これにより、スキャンセンサー２１０は左右に往復移動しながら平板ガラス１１０に密着されたＡ３原稿を２次的にスキャンする。
【００６３】
このように、二回のスキャン作業が終了した後、制御部２９０は移送ローラー２２１ａが続いて逆回転するように移送ローラー部材２２１に信号を出力する。これにより、移送ローラー２２１ａが逆回転しながら、図７ｄに示したように、Ａ３原稿１０が原稿排紙口２２３を通して排紙され、原稿排紙台２２３ａに積載される。
【００６４】
このようにＡ３原稿の分割スキャンが全部完了すると、画像処理部３００は個別的にスキャンされた二つのイメージ（Ａ４サイズ）を結合するためのイメージプロセッシングを行い、一つのＡ３サイズのイメージを生成する。
【００６５】
従って、Ａ４原稿用スキャンセンサー２１０を用いてＡ３原稿のスキャンが可能である。
【００６６】
一方、図８は本発明の第１実施例によるＡ３用紙スキャン機能を備えたＡ４スキャナーのスキャニング部の他の形態を概略的に示したブロック図であり、図９は本発明の第１実施例によるＡ３用紙スキャン機能を備えたＡ４スキャナーのスキャン方法の他の形態を概略的に示したフローチャートである。
【００６７】
図面に示したように、本発明の第１実施例によるＡ３用紙スキャン機能を備えたＡ４スキャナーのスキャニング部２００は、Ａ３原稿のスキャン機能を行うために信号を出力する原稿スキャンボタン２４０、平板ガラス１１０上に整列された原稿のサイズを感知する原稿サイズ感知センサー２５０、及び原稿サイズ感知センサー２５０と原稿スキャンボタン２４０の信号によりスキャニング部２００がＡ３原稿をスキャンするように信号を出力する制御部２９０を更に含む。
【００６８】
図面に具体的に示されてはいないが、原稿サイズ感知センサー２５０は原稿給紙台２２２ａに設けられ、原稿給紙台２２２ａに積載された原稿のサイズを感知する。この際に、制御部２９０は原稿サイズ感知センサー２５０から感知された感知結果、  原稿給紙台２２２ａに整列された原稿が原稿給紙台２２２ａ  外部に露出された場合、Ａ３原稿と判断し、  原稿給紙台２２２ａに整列された原稿が原稿給紙台２２２ａ外部に露出されなかった場合、Ａ４原稿と判断する。
【００６９】
制御部２９０は、原稿スキャンボタン２４０及び原稿サイズ感知センサー２５０から出力された信号の伝達を受け、スキャンセンサー２１０及び移送ローラー部材駆動モータ２３０が作動されるように信号を出力することによって、Ａ３原稿である場合、分割スキャンが行われるようにする。
【００７０】
このように、図８及び図９に示された原稿サイズ感知センサー２５０を更に備えたＡ３用紙スキャン機能を備えたＡ４スキャナーのスキャン方法は、図５のフローチャートに示したスキャン方法と同一であるが、使用者が原稿スキャンボタン２４０をクリックした後、次の段階を更に含む。
【００７１】
具体的に、使用者が原稿スキャンボタン２４０をクリックすると（Ｓ２００）、原稿サイズ感知センサー２５０が原稿給紙台２２２ａに整列された原稿のサイズを感知し、制御部２９０に信号を伝達する（Ｓ２１０）。
【００７２】
次いで、制御部２９０は原稿サイズ感知センサー２５０から伝達された信号により、整列された原稿のサイズがＡ３サイズであるかを判断する（Ｓ２２０）。
【００７３】
この判断結果、原稿のサイズがスキャンセンサー２１０のスキャン面積範囲外である場合、即ち、Ａ３サイズである場合、制御部２９０は原稿スキャンボタン２４０の動作信号の伝達を受け、移送ローラー部材２２１が駆動されるように移送ローラー部材駆動モータ２３０に信号を出力する。
【００７４】
そうすると、移送ローラー２２１ａが正回転され、原稿給紙台２２２ａに積載された原稿１０の半分程度が平板ガラス１１０に密着される（Ｓ３００）。
【００７５】
次いで、前述したＳ３００〜Ｓ７００までの段階を行ってＡ３原稿を分割スキャンし、Ａ３サイズのイメージを生成する。
【００７６】
一方、前記Ｓ２２０段階の判断結果、原稿のサイズがスキャンセンサー２１０のスキャン面積範囲内にある場合、即ち、Ａ４サイズである場合、制御部２９０は移送ローラー部材２２１が駆動されるように移送ローラー部材駆動モータ２３０に信号を出力することによって、Ａ４原稿全体が平板ガラス１１０に密着されるようにする（Ｓ２３０）。
【００７７】
そして、制御部２９０は、平板ガラス１１０に密着されたＡ４原稿がスキャンされるようにスキャンセンサー２１０に信号を出力する。これにより、スキャンセンサー２１０は左右に往復移動しながら平板ガラス１１０に密着されたＡ４原稿全体をスキャンする（Ｓ２４０）。
【００７８】
このように、原稿給紙台２２２ａ上に整列された原稿のサイズによって、スキャンセンサー２１０及び移送ローラー部材駆動モータ２３０の動作を制御し、Ａ４原稿又はＡ３原稿を選択的にスキャンすることができる。
【００７９】
本発明ではＡ４専用スキャンセンサーを用いてＡ３原稿をスキャンするスキャナーに対して説明したが、Ａ３専用スキャンセンサーを用いてＡ２原稿をスキャンするスキャナーのように、スキャンセンサーのスキャン面積の二倍サイズの原稿をスキャンするスキャナーは全て本発明の権利範囲に含まれるものとして解釈されるべきである。
【００８０】
従って、本発明の保護範囲は特許請求の範囲により解釈されるべきである。また、本発明の属する技術分野で通常の知識を有する者なら、本発明の本質的な特性から外れない範囲で多様な修正及び変更が可能であるため、本発明と同等な範囲内にある全ての技術思想は本発明の権利範囲に含まれるものとして解釈されるべきである。
【図１】
0005539693.tif 000002
【図２】
0005539693.tif 000003
【図３】
0005539693.tif 000004
【図３ａ】
0005539693.tif 000005
【図４】
0005539693.tif 000006
【図５】
0005539693.tif 000007
【図６ａ】
0005539693.tif 000008
【図６ｂ】
0005539693.tif 000009
【図６ｃ】
0005539693.tif 000010
【図６ｄ】
0005539693.tif 000011
【図７ａ】
0005539693.tif 000012
【図７ｂ】
0005539693.tif 000013
【図７ｃ】
0005539693.tif 000014
【図７ｄ】
0005539693.tif 000015
【図８】
0005539693.tif 000016
【図９】
0005539693.tif 000017